(57)【要約】【課題】ラジオ放送に多重される情報を一旦キャッチアップしたときは当該情報の不安定な受信を防止することができかつリスナー（視聴者）に違和感を与えない放送波受信装置を提供する。【解決手段】信号検出回路６ａが放送受信信号の強度を判定し、ＲＤＳ識別回路７ａが受信した放送がＲＤＳ放送であるか否かを判定する。放送受信信号の強度が所定のレベル以上であるが、受信した放送がＲＤＳ放送でないと判定された場合及び放送受信信号の強度が所定のレベル以上であり、かつ受信した放送がＲＤＳ放送であると判定された場合に、スイッチ回路１０が可変利得増幅器４の増幅度を増大させる。【選択図】      図１
2004229146.tif 000002
【特許請求の範囲】
【請求項１】
ラジオ放送に多重される情報を受信する放送波受信装置であって、
放送受信信号を中間周波信号に変換するチューナ手段と、
前記チューナ手段より出力される中間周波信号を増幅する可変利得増幅手段と、
前記可変利得増幅手段からの出力信号に基づいて受信した放送が多重放送であるか否かを判定して判定信号を出力する多重放送判定手段と、
前記可変利得増幅手段からの出力信号に含まれる文字等の情報を復調する情報復調手段と、
前記情報復調手段からの出力信号に基づいて文字等の情報を表示する表示手段と、
前記放送受信信号の強度を判定する信号検出手段と、
前記多重放送判定手段の判定結果及び前記信号検出手段の判定結果に応じて前記可変利得増幅手段の増幅度を制御する制御手段と、
を備えることを特徴とする放送波受信装置。
【請求項２】
放送受信信号の強度が所定のレベル以上であるが、受信した放送が多重放送でないと判定された場合に、前記制御手段が前記可変利得増幅手段の増幅度を増大させる請求項１に記載の放送波受信装置。
【請求項３】
放送受信信号の強度が所定のレベル以上であり、かつ受信した放送が多重放送であると判定された場合も、前記制御手段が前記可変利得増幅手段の増幅度を増大させる請求項２に記載の放送波受信装置。
【請求項４】
前記可変利得増幅手段が、第１ゲートに入力される中間周波信号を増幅してドレインから出力するデュアルゲート型電界効果トランジスタを備え、
前記制御手段が、前記デュアルゲート型電界効果トランジスタの第２ゲートへの印加直流電圧を可変することで前記可変利得増幅手段の増幅度を制御する請求項１〜３のいずれかに記載の放送波受信装置。
【発明の詳細な説明】
【０００１】
【発明の属する技術分野】
本発明は、ラジオ放送に多重される情報を受信する放送波受信装置に関するものである。
【０００２】
【従来の技術】
従来の放送波受信装置として、ここではＦＭ多重データ放送の一種であるＲＤＳ（ラジオ・データ・システム）放送を受信できるＲＤＳ放送受信機を例に挙げて説明する。
【０００３】
従来のＲＤＳ放送受信機の構成を図２に示す。放送局より電波で送信される放送信号は、アンテナ１から入り、チューナ２で選局及び周波数変換されて中間周波（ＩＦ）信号となる。
【０００４】
チューナ２より出力されるＩＦ信号は、ＩＦＡＭＰ初段１１に入り、増幅される。なお、ＩＦＡＭＰ初段１１のゲインは、後述する帰還回路１２によって制御される。
【０００５】
ＩＦＡＭＰ初段１１は、ＩＦフィルタ３及び５と、抵抗Ｒ１〜Ｒ３と、コンデンサＣ１と、ＮＰＮ型トランジスタＱ４とによって構成される。ＩＦフィルタ３の入力側がＩＦＡＭＰ初段１１の入力端となる。ＩＦフィルタ３の出力側は、トランジスタＱ４のベースに接続されるとともに、抵抗Ｒ１を介して接地され、抵抗Ｒ２を介して直流電源＋Ｂに接続される。トランジスタＱ４のコレクタは、ＩＦフィルタ５の入力側に接続されるとともに、抵抗Ｒ３を介して直流電源＋Ｂに接続される。なお、ＩＦフィルタ５の出力側は、ＩＦＡＭＰ初段１１の出力端となる。抵抗Ｒ２と抵抗Ｒ３との共通接続点にコンデンサＣ１の一端が接続される。コンデンサＣ１の他端は接地される。トランジスタＱ４のエミッタは、後述する帰還回路１２の出力端に接続されるとともに、抵抗Ｒ４を介して接地される。
【０００６】
ＩＦＡＭＰ初段１１から出力される信号は、中間周波増幅・検波部６に入り、中間周波増幅・検波部６において、ＩＦ増幅された後、放送信号が検波されて検波出力信号となり次段のＲＤＳデコーダ７に送出される。
【０００７】
中間周波増幅・検波部６は、信号検出回路６ａと、ＳＤ端子６ｂと、Ｌ端子６ｃと、Ｒ端子６ｄと、ベースが信号検出回路６ａの出力側に接続されコレクタがＳＤ端子６ｂに接続されエミッタが接地されるＮＰＮ型トランジスタＴｒ１とを具備している。ＳＤ端子６ｂは、抵抗Ｒ７を介して直流電源＋Ｂに接続され、バイパスコンデンサＣ２を介して接地され、マイクロコンピュータ８が具備するＳＤ端子８ａに接続される。信号検出回路６ａは、検波出力信号に基づいて、アンテナ１から入る放送電波の信号の強度（アンテナ入力レベル）が所定のレベル以上であるか否を判定する。アンテナ入力レベルが所定のレベル未満であれば、信号検出回路６ａはトランジスタＴｒ１をオフにするので、ＳＤ端子６ｂはＨｉｇｈレベルとなり、これに伴ってＳＤ端子８ａもＨｉｇｈレベルとなる。一方、アンテナ入力レベルが所定のレベル以上であれば、信号検出回路６ａはトランジスタＴｒ１をオンにするので、ＳＤ端子６ｂはＬｏｗレベルとなり、これに伴ってＳＤ端子８ａもＬｏｗレベルとなる。マイクロコンピュータ８はＳＤ端子８ａに入力される信号をオートチューニング用制御信号として用いる。アンテナ入力レベルが所定のレベル以上の強度であれば、ＳＤ端子８ａに入力される信号はＨｉｇｈレベルからＬｏｗレベルに変化し、マイクロコンピュータ８はこの変化を検出すると、オートチューニングストップの命令をチューナ２にする（マイクロコンピュータ８からチューナ２への制御ラインは不図示）。また、Ｌ端子６ｃからＬチャンネル用音声信号が出力され、Ｒ端子６ｄからＲチャンネル用音声信号出力される。
【０００８】
ＲＤＳデコーダ７は、中間周波増幅・検波部６から出力される検波出力信号に含まれているＲＤＳ信号をデコードしてデータ信号ＤＡＴＡとして出力するとともにクロック信号ＣＬＫも出力する。また、ＲＤＳデコーダ７から出力されるデータ信号ＤＡＴＡとクロック信号ＣＬＫはマイクロコンピュータ８に入る。マイクロコンピュータ８は、データ信号ＤＡＴＡをクロック信号ＣＬＫに従って処理し、表示装置９に表示データとして出力する。表示装置９は、マイクロコンピュータ８から出力される表示データに基づいて文字・数字・記号などのキャラクタデータからなる情報を表示する。
【０００９】
ＲＤＳデコーダ７は、ＲＤＳ識別回路７ａと、ＲＤＳ識別端子７ｂと、ベースがＲＤＳ識別回路７ａの出力側に接続されコレクタがＲＤＳ識別端子７ｂに接続されエミッタが接地されるＮＰＮ型トランジスタＴｒ２とを具備している。ＲＤＳ識別回路７ａは、検波出力信号に基づいて、現在の受信放送がＲＤＳ放送であるか否かを判定する。現在の受信放送がＲＤＳ放送でない場合やＲＤＳ放送電波であってもアンテナ入力レベルがＲＤＳデータの表示ができない程度の微弱な状態である場合には、ＲＤＳ識別回路７ａは現在の受信放送がＲＤＳ放送でないと判定してトランジスタＴｒ２をオフにするので、ＲＤＳ識別端子７ｂはＨｉｇｈレベルとなる。一方、現在の受信放送がＲＤＳ放送であってかつアンテナ入力レベルがＲＤＳデータの表示ができる状態である場合には、ＲＤＳ識別回路７ａは現在の受信放送がＲＤＳ放送であると判定してトランジスタＴｒ２をオンにするので、ＲＤＳ識別端子７ｂはＬｏｗレベルとなる。ＲＤＳ識別端子７ｂの出力信号は帰還回路１２に利用される。
【００１０】
ここで、帰還回路１２の構成について説明する。帰還回路１２は、抵抗Ｒ６及びＲ１２と、バイパスコンデンサＣ３と、コンデンサＣ４と、可変容量ダイオードＶＣ１とによって構成される。コンデンサＣ３の一端と抵抗Ｒ６の一端と抵抗Ｒ１２の一端との共通接続点が、帰還回路１２の入力端となる。コンデンサＣ３の他端は接地され、抵抗Ｒ６の他端は直流電源＋Ｂに接続される。抵抗Ｒ１２の他端は、可変容量ダイオードＶＣ１のカソード及びコンデンサＣ４の一端に接続される。可変容量ダイオードＶＣ１のアノードは接地される。また、コンデンサＣ４の他端が、帰還回路１２の出力端となる。
【００１１】
続いて帰還回路１２の動作について説明する。ＲＤＳ識別端子７ｂの出力信号がＨｉｇｈレベルであれば、可変容量ダイオードＶＣ１に直流電源＋Ｂより抵抗Ｒ６及びＲ１２を介して、逆バイアスが印加され可変容量ダイオードＶＣ１の容量は最小になる。したがって、コンデンサＣ４と可変容量ダイオードＶＣ１の直列インピーダンスは、負帰還抵抗Ｒ４の抵抗値に対して無視できる程度に大きな値になり、トランジスタＱ４のエミッタ・グランド間のインピーダンスは、ほぼ負帰還抵抗Ｒ４の抵抗値になる。一方、ＲＤＳ識別端子７ｂの出力信号がＬｏｗレベルであれば、トランジスタＴｒ２がオンになっているので、直流電源＋Ｂより抵抗Ｒ６とトランジスタＴｒ２を介してグランドに流れるルートが形成される。その結果、可変容量ダイオードＶＣ１はバイアス電圧がかからないゼロバイアス状態となり、可変容量ダイオードＶＣ１の容量は最大値になる。したがって、コンデンサＣ４と可変容量ダイオードＶＣ１の直列インピーダンスは、負帰還抵抗Ｒ４の抵抗値に対して無視できない程度に小さな値になる。そして、コンデンサＣ４と可変容量ダイオードＶＣ１とから成る直列回路が負帰還抵抗Ｒ４と並列になっているので、トランジスタＱ４のエミッタ・グランド間のインピーダンスは、負帰還抵抗Ｒ４の抵抗値より小さくなる。トランジスタＱ４のエミッタ・グランド間のインピーダンスが小さくなると、ＩＦＡＭＰ初段１１の負帰還量が小さくなり、ＩＦＡＭＰ初段１１のゲインが大きくなる。したがって、ＲＤＳ識別端子７ｂの出力信号がＨｉｇｈレベルからＬｏｗレベルに変化すると、ＩＦＡＭＰ初段１１のゲインが上昇する。
【００１２】
このように図２のＲＤＳ放送受信機は、放送電波の強度がＲＤＳ表示のために必要なアンテナ最小入力レベル時、すなわちスレッシュレベル時に一旦ＲＤＳ表示ができたら、ＲＤＳ識別端子７ｂの出力信号によってＩＦＡＭＰ初段１１のゲインを上昇させて、スレッシュレベルから逃れ、ＲＤＳ表示が不安定になることを防止していた。
【００１３】
【特許文献１】
特許第３２１６７９８号公報  （第１図）
【００１４】
【発明が解決しようとする課題】
上述したＳＤ端子６ｂとＲＤＳ端子７ｂは、共にアクティブローの端子である。信号検出回路６ａによって、アンテナから入る放送信号が検出され、所定のレベル、すなわちオートチューニングストップが可能なレベルであると判定されたら、ＳＤ端子６ｂはＨｉｇｈレベルからＬｏｗレベルの電位になる。ＳＤ端子６ｂの電位がＨｉｇｈレベルからＬｏｗレベルになるアンテナ入力レベルをＳＤ感度とする。
【００１５】
また、ＲＤＳ識別回路７ａによって、ＲＤＳデータが所定のレベル、すなわちＲＤＳ表示が可能なレベルであると判定されたら、ＲＤＳ識別端子７ｂはＨｉｇｈレベルからＬｏｗレベルの電位になる。ＲＤＳ識別端子７ｂの電位がＨｉｇｈレベルからＬｏｗレベルになるアンテナ入力レベルをＲＤＳ感度とする。
【００１６】
図２のＲＤＳ受信装置において、ＳＤ感度とＲＤＳ感度とは全く同一でなく、いくらか感度差があり、通常図３に示すようにＳＤ感度の方がＲＤＳ感度より良い（小さい）。なお、図３中のＳＳＤはＳＤ端子６ｂの出力信号レベル波形を示し、ＳＲＤＳはＲＤＳ識別端子７ｂの出力信号レベル波形を示し、ＳＥＮＳＤはＳＤ感度を示し、ＳＥＮＲＤＳはＲＤＳ感度を示し、ΔＳＥＮは感度差を示している。
【００１７】
ＳＤ感度−ＲＤＳ感度間のアンテナ入力レベルの範囲においては、オートチューニングステップはできるが、ＲＤＳ表示ができない範囲が生じる。なお、ＲＤＳ感度よりも大きいアンテナ入力レベルであれば、オートチューニングストップができかつＲＤＳ表示もできる。
【００１８】
アンテナ入力レベルがオートチューニングストップはできるが、ＲＤＳ表示ができない範囲となる地域や場所において放送受信した場合、リスナー（視聴者）がＲＤＳ表示されないことに違和感を持ち続け受信機が故障していると勘違いすることがある。また、受信機が故障していると勘違いしないリスナー（視聴者）であっても、今受信している放送局はオートチューニングステップできるレベルにあるのだから、ＲＤＳ表示も出来てほしいがＲＤＳ表示が出来ていないという不満を有している。
【００１９】
さらにＲＤＳ表示が出来たり出来なかったりを繰り返すＲＤＳ感度のスレッシュレベルでの不安定受信を防止することも従来通り必要である。
【００２０】
本発明は、上記の問題点に鑑み、ラジオ放送に多重される情報を一旦キャッチアップしたときは当該情報の不安定な受信を防止することができかつリスナー（視聴者）に違和感を与えない放送波受信装置を提供することを目的とする。
【００２１】
【課題を解決するための手段】
上記目的を達成するために、本発明に係る放送波受信装置においては、放送受信信号を中間周波信号に変換するチューナ手段と、前記チューナ手段より出力される中間周波信号を増幅する可変利得増幅手段と、前記可変利得増幅手段からの出力信号に基づいて受信した放送が多重放送であるか否かを判定して判定信号を出力する多重放送判定手段と、前記可変利得増幅手段からの出力信号に含まれる文字等の情報を復調する情報復調手段と、前記情報復調手段からの出力信号に基づいて文字等の情報を表示する表示手段と、前記放送受信信号の強度を判定する信号検出手段と、前記多重放送判定手段の判定結果及び前記信号検出手段の判定結果に応じて前記可変利得増幅手段の増幅度を制御する制御手段と、を備える構成とする。
【００２２】
このような構成により、放送受信信号の強度と受信した放送が多重放送であるか否かに応じて可変利得増幅手段の増幅度を調整することができる。したがって、放送受信信号の強度が所定のレベル以上であることが必要である動作（例えば、オートチューニングストップ）と文字等の表示との両方が行えるように、可変利得増幅手段の増幅度を調整することができ、リスナー（視聴者）に違和感を与えないようにすることができる。また、文字等の情報の表示が出来たり出来なかったりを繰り返す不安定な受信状態を防止することができる。
【００２３】
上記構成の放送波受信装置において、放送受信信号の強度が所定のレベル以上であるが、受信した放送が多重放送でないと判定された場合に、前記制御手段が前記可変利得増幅手段の増幅度を増大させてもよい。
【００２４】
これにより、放送受信信号の強度が所定のレベル以上であることが必要である動作（例えば、オートチューニングストップ）が行えるが、文字等の表示は行えないというような動作状態をなくすことができ、リスナー（視聴者）に違和感を与えないようにすることができる。また、放送受信信号の強度が所定のレベル以上であるが、受信した放送が多重放送でないと判定された場合に、制御手段が可変利得増幅手段の増幅度を十分に増大させることで、文字等の情報の表示が出来たり出来なかったりを繰り返す不安定な受信状態を防止することができる。
【００２５】
さらに、放送受信信号の強度が所定のレベル以上であり、かつ受信した放送が多重放送であると判定された場合も、前記制御手段が前記可変利得増幅手段の増幅度を増大させてもよい。
【００２６】
これにより、放送受信信号の強度が所定のレベル以上であり、かつ受信した放送が多重放送であると判定された場合においても、文字等の情報の表示が出来たり出来なかったりを繰り返す不安定な受信状態を防止することができる。
【００２７】
また、上記いずれかの放送波受信装置において、前記可変利得増幅手段が、第１ゲートに入力される中間周波信号を増幅してドレインから出力するデュアルゲート型電界効果トランジスタを備え、前記制御手段が、前記デュアルゲート型電界効果トランジスタの第２ゲートへの印加直流電圧を可変することで前記可変利得増幅手段の増幅度を制御するようにしてもよい。
【００２８】
デュアルゲート型電界効果トランジスタを用いることで以下のような効果を奏する。デュアルゲート型電界効果トランジスタは第１ゲートと第２ゲートとが分離しているため、第１ゲートに信号線を接続し、第２ゲートに制御用の直流バイアスを印加できるという回路構成上の有利さがある。シングルゲート型電界効果トランジスタの場合は、信号と直流バイアスが重畳される結果、動作が不安定になりやすい。また、デュアルゲート型電界効果トランジスタはシングルゲート型電界効果トランジスタに比べて逆伝達係数が小さいので、発振などのおそれが全くなく安定した動作が可能である。また、デュアルゲート型電界効果トランジスタは電圧制御型であるので、電流制御型のトランジスタより回路構成を簡素化できる。電流制御型のトランジスタを用いる場合、さらにスイッチングトランジスタを１つ追加しなければならない。また、可変利得増幅手段においては周辺の回路や信号に悪影響を与えないようにすることが望まれるが、電界効果トランジスタは入出力インピーダンスが大きいので、周辺に与える影響がほとんどない。
【００２９】
【発明の実施の形態】
以下に本発明の一実施形態について図面を参照して説明する。本発明に係る放送波受信装置として、ここではＲＤＳ放送受信機を例に挙げて説明する。
【００３０】
本発明に係るＲＤＳ放送受信機の構成を図１に示す。なお、図１において図２と同一の部分には同一の符号を付し詳細な説明を省略する。
【００３１】
放送局より電波で送信される放送信号は、アンテナ１から入り、チューナ２で選局及び周波数変換されて中間周波（ＩＦ）信号となる。
【００３２】
チューナ２より出力されるＩＦ信号は、ＩＦフィルタ３、抵抗Ｒ１、可変利得増幅器４、及びＩＦフィルタ５から成るＩＦＡＭＰ初段に入り、増幅される。チューナ２の出力側はＩＦフィルタ３の入力側に接続される。ＩＦフィルタ３の出力側は、抵抗Ｒ１を介して接地されるとともに可変利得増幅器４の入力端に接続される。可変利得増幅器４の出力端はＩＦフィルタ５を介して中間周波増幅・検波部６に接続される。なお、可変利得増幅器４のゲインは、後述するスイッチ回路１０によって制御される。
【００３３】
可変利得増幅器４は、デュアルゲート型の電界効果トランジスタＱ１と、ＮＰＮ型トランジスタＱ２と、抵抗Ｒ２〜Ｒ５と、抵抗Ｒ１０及びＲ１１と、バイパスコンデンサＣ１とによって構成される。電界効果トランジスタＱ１の第１ゲートＧ１が可変利得増幅器４の入力端となる。電界効果トランジスタＱ１のドレインＤがそのドレインの負荷設定用の抵抗Ｒ３の一端に接続され、抵抗Ｒ３の他端が直流電源＋Ｂに接続されているとともにバイパスコンデンサＣ１を介して接地される。なお、電界効果トランジスタＱ１のドレインＤと抵抗Ｒ３との共通接続点が可変利得増幅器４の出力端となる。電界効果トランジスタＱ１のソースＳが抵抗Ｒ４を介して接地される。電界効果トランジスタＱ１の第２ゲートＧ２がその第２ゲートに対する正のバイアス設定用の抵抗Ｒ２を介して直流電源＋Ｂに接続されるともに、抵抗Ｒ５を介して接地され、抵抗Ｒ１１及びトランジスタＱ２を介して接地される。また、トランジスタＱ２のベースに抵抗Ｒ１０の一端が接続される。抵抗Ｒ２と電界効果トランジスタＱ１の第２ゲートＧ２と抵抗Ｒ５と抵抗Ｒ１１との共通接続点及び抵抗Ｒ１０の他端にスイッチ回路１０が接続される。
【００３４】
ＩＦＡＭＰ初段から出力される信号は、中間周波増幅・検波部６に入り、中間周波増幅・検波部６において、ＩＦ増幅された後、放送信号が検波されて検波出力信号となり次段のＲＤＳデコーダ７に送出される。
【００３５】
中間周波増幅・検波部６は、信号検出回路６ａと、ＳＤ端子６ｂと、Ｌ端子６ｃと、Ｒ端子６ｄと、ベースが信号検出回路６ａの出力側に接続されコレクタがＳＤ端子６ｂに接続されエミッタが接地されるＮＰＮ型トランジスタＴｒ１とを具備している。ＳＤ端子６ｂは、抵抗Ｒ７を介して直流電源＋Ｂに接続され、バイパスコンデンサＣ２を介して接地され、マイクロコンピュータ８が具備するＳＤ端子８ａに接続される。信号検出回路６ａは、検波出力信号に基づいて、アンテナ１から入る放送電波の信号の強度（アンテナ入力レベル）が所定のレベル以上であるか否を判定する。アンテナ入力レベルが所定のレベル未満であれば、信号検出回路６ａはトランジスタＴｒ１をオフにするので、ＳＤ端子６ｂはＨｉｇｈレベルとなり、これに伴ってＳＤ端子８ａもＨｉｇｈレベルとなる。一方、アンテナ入力レベルが所定のレベル以上であれば、信号検出回路６ａはトランジスタＴｒ１をオンにするので、ＳＤ端子６ｂはＬｏｗレベルとなり、これに伴ってＳＤ端子８ａもＬｏｗレベルとなる。マイクロコンピュータ８はＳＤ端子８ａに入力される信号をオートチューニング用制御信号として用いる。アンテナ入力レベルが所定のレベル以上であれば、ＳＤ端子８ａに入力される信号はＨｉｇｈレベルからＬｏｗレベルに変化し、マイクロコンピュータ８はこの変化を検出すると、オートチューニングストップの命令をチューナ２にする（マイクロコンピュータ８からチューナ２への制御ラインは不図示）。また、ＳＤ端子６ｂの出力信号は、スイッチ回路１０に利用される。また、Ｌ端子６ｃからＬチャンネル用音声信号が出力され、Ｒ端子６ｄからＲチャンネル用音声信号出力される。
【００３６】
ＲＤＳデコーダ７は、中間周波増幅・検波部６から出力される検波出力信号に含まれているＲＤＳ信号をデコードしてデータ信号ＤＡＴＡとして出力するとともにクロック信号ＣＬＫも出力する。また、ＲＤＳデコーダ７から出力されるデータ信号ＤＡＴＡとクロック信号ＣＬＫはマイクロコンピュータ８に入る。マイクロコンピュータ８は、データ信号ＤＡＴＡをクロック信号ＣＬＫに従って処理し、表示装置９に表示データとして出力する。表示装置９は、マイクロコンピュータ８から出力される表示データに基づいて文字・数字・記号などのキャラクタデータからなる情報を表示する。
【００３７】
ＲＤＳデコーダ７は、ＲＤＳ識別回路７ａと、ＲＤＳ識別端子７ｂと、ベースがＲＤＳ識別回路７ａの出力側に接続されコレクタがＲＤＳ識別端子７ｂに接続されエミッタが接地されるＮＰＮ型トランジスタＴｒ２とを具備している。ＲＤＳ識別端子７ｂは、抵抗Ｒ６を介して直流電源＋Ｂに接続され、バイパスコンデンサＣ３を介して接地される。ＲＤＳ識別回路７ａは、検波出力信号に基づいて、現在の受信放送がＲＤＳ放送であるか否かを判定する。現在の受信放送がＲＤＳ放送でない場合やＲＤＳ放送電波であってもアンテナ入力レベルがＲＤＳデータの表示ができない程度の微弱な状態である場合には、ＲＤＳ識別回路７ａは現在の受信放送がＲＤＳ放送でないと判定してトランジスタＴｒ２をオフにするので、ＲＤＳ識別端子７ｂの出力信号はＨｉｇｈレベルとなる。一方、現在の受信放送がＲＤＳ放送であってかつアンテナ入力レベルがＲＤＳデータの表示ができる状態である場合には、ＲＤＳ識別回路７ａは現在の受信放送がＲＤＳ放送であると判定してトランジスタＴｒ２をオンにするので、ＲＤＳ識別端子７ｂの出力信号はＬｏｗレベルとなる。ＲＤＳ識別端子７ｂの出力信号はスイッチ回路１０に利用される。
【００３８】
ここで、スイッチ回路１０の構成について説明する。スイッチ回路１０は、抵抗Ｒ８及びＲ９と、ダイオードＤ１及びＤ２と、ＰＮＰ型トランジスタＱ３とによって構成される。ダイオードＤ１のアノード及びトランジスタＱ３のエミッタが、バイパスコンデンサＣ３、抵抗Ｒ６、及びＲＤＳ識別端子７ｂの共通接続点に接続される。また、トランジスタＱ３のベースが抵抗Ｒ９を介してダイオードＤ２のアノードに接続される。そして、ダイオードＤ１のカソードとダイオードＤ２のカソードが共通接続され、可変利得増幅器４内の抵抗Ｒ１０に接続される。さらに、トランジスタＱ３のコレクタが、抵抗Ｒ８を介して可変利得増幅器４内の抵抗Ｒ５と抵抗Ｒ１１との共通接続点に接続される。
【００３９】
続いてスイッチ回路１０及び可変利得増幅器４の動作について説明する。まず、信号検出回路６ａによってアンテナ入力レベルが所定のレベル未満であると判定され、ＲＤＳ識別回路７ａによって現在の受信放送がＲＤＳ放送でないと判定される場合について説明する。この場合、ＳＤ端子６ｂの出力信号とＲＤＳ識別端子７ｂの出力信号はともにＨｉｇｈレベルになるので、トランジスタＱ３のベース電流が、抵抗Ｒ６、トランジスタＱ３、抵抗Ｒ９、トランジスタＴｒ１へと流れず、トランジスタＱ３はオフ状態となる。その結果、直流電源＋Ｂから出力される直流電圧が、抵抗Ｒ６、トランジスタＱ３、抵抗Ｒ８を介して電界効果トランジスタＱ１の第２ゲートＧ２へ印加されることはない。また、ＳＤ端子６ｂの出力信号とＲＤＳ識別端子７ｂの出力信号はともにＨｉｇｈレベルになるので、ダイオードＤ１及びＤ２のカソードがＨｉｇｈレベルになる。そうすると、ダイオードＤ１及びＤ２がオン状態となってトランジスタＱ２のベース・グランド間は正のバイアスがかかり、トランジスタＱ２はオン状態になる。これにより、電界効果トランジスタＱ１の第２ゲートＧ２への印加直流電圧が、直流電源＋Ｂから出力される直流電圧を抵抗Ｒ２と抵抗Ｒ５、抵抗Ｒ１１の並列回路とで分圧したものになる。このときの電界効果トランジスタＱ１の第２ゲートＧ２への印加直流電圧を「標準印加直流電圧」とする。
【００４０】
次に、信号検出回路６ａによってアンテナ入力レベルが所定のレベル以上であると判定されるが、ＲＤＳ識別回路７ａによって現在の受信放送がＲＤＳ放送であると判定されない場合について説明する。この場合、ＳＤ端子６ｂの出力信号はＬｏｗレベルになり、ＲＤＳ識別端子７ｂの出力信号はＨｉｇｈレベルになるので、トランジスタＱ３のベース電流が抵抗Ｒ６、トランジスタＱ３、抵抗Ｒ９、トランジスタＴｒ１へと流れ込み、トランジスタＱ３はオン状態となる。その結果、直流電源＋Ｂから出力される直流電圧は、抵抗Ｒ２と、抵抗Ｒ６、Ｒ８から成る回路との並列回路を経由して、電界効果トランジスタＱ１の第２ゲートＧ２へ印加される。したがって、直流電源＋Ｂから出力される直流電圧は、分圧されずに電界効果トランジスタＱ１の第２ゲートＧ２へ印加されることになるので、電界効果トランジスタＱ１の第２ゲートＧ２の印加直流電圧は標準印加直流電圧に比べて上昇する。電界効果トランジスタＱ１の第２ゲートＧ２の印加直流電圧が上昇すれば、電界効果トランジスタＱ１の相互コンダクタンス値が大きくなるので、電界効果トランジスタＱ１の増幅度が大きくなり、可変利得増幅器４のゲインが大きくなる。また、ＳＤ端子６ｂの出力信号とＲＤＳ識別端子７ｂの出力信号はともにＨｉｇｈレベルになるので、ダイオードＤ１及びＤ２のカソードがＨｉｇｈレベルになる。そうすると、トランジスタＱ２のベース・グランド間に正のバイアスがかかり、トランジスタＱ２はオン状態になる。上記動作によって、現在受信している放送局がオートチューニングステップできるレベルにあれば、ＲＤＳ表示も出来るようになり、リスナー（視聴者）に違和感を与えないようにすることができる。アンテナ入力レベルは所定のレベルすなわちオートチューニングストップができるレベルにあるのに、後少しのアンテナ入力レベル不足でＲＤＳ表示が出来ないＲＤＳ局は実際非常に多く、本発明に係るＲＤＳ放送受信機を用いることでリスナー（視聴者）はより多くのＲＤＳ局をＲＤＳ表示が可能な状態で受信できるようになる。また、可変利得増幅器４のゲインを十分に上昇させた状態でＲＤＳ放送をキャッチアップするので、ＲＤＳ表示が出来たり出来なかったりを繰り返すＲＤＳ感度のスレッシュレベルでの不安定受信を防止することができる。
【００４１】
次に、信号検出回路６ａによってアンテナ入力レベルが所定のレベル未満であると判定されるが、ＲＤＳ識別回路７ａによって現在の受信放送がＲＤＳ放送であると判定される場合について説明する（普通このような場合はない）。この場合、ＳＤ端子６ｂの出力信号はＨｉｇｈレベルになり、ＲＤＳ識別端子７ｂの出力信号はＬｏｗレベルになるので、トランジスタＱ３のベース電流が、抵抗Ｒ６、トランジスタＱ３、抵抗Ｒ９、トランジスタＴｒ１へと流れず、トランジスタＱ３はオフ状態となる。その結果、直流電源＋Ｂから出力される直流電圧が、抵抗Ｒ６、トランジスタＱ３、抵抗Ｒ８を介して電界効果トランジスタＱ１の第２ゲートＧ２へ印加されることはない。また、ＳＤ端子６ｂの出力信号はＨｉｇｈレベルになるので、ダイオードＤ２のカソードがＨｉｇｈレベルになる。そうすると、ダイオードＤ２がオン状態となってトランジスタＱ２のベース・グランド間は正のバイアスがかかり、トランジスタＱ２はオン状態になる。これにより、電界効果トランジスタＱ１の第２ゲートＧ２への印加直流電圧が、直流電源＋Ｂから出力される直流電圧を抵抗Ｒ２と抵抗Ｒ５、抵抗Ｒ１１の並列回路とで分圧したものになる。したがって、この場合の電界効果トランジスタＱ１の第２ゲートＧ２への印加直流電圧は標準印加直流電圧と一致する。信号検出回路６ａによってアンテナ入力レベルが所定のレベル未満であると判定されるが、ＲＤＳ識別回路７ａによって現在の受信放送がＲＤＳ放送であると判定される場合は普通起こらないので、このような場合は上記動作から明らかなように、ＲＤＳ表示が出来たり出来なかったりを繰り返すＲＤＳ感度のスレッシュレベルでの不安定受信の防止を行っていない。
【００４２】
最後に、信号検出回路６ａによってアンテナ入力レベルが所定のレベル以上であると判定され、ＲＤＳ識別回路７ａによって現在の受信放送がＲＤＳ放送であると判定される場合について説明する。この場合、ＳＤ端子６ｂの出力信号とＲＤＳ識別端子７ｂの出力信号はともにＬｏｗレベルになるので、トランジスタＱ３のベース電流が、抵抗Ｒ６、トランジスタＱ３、抵抗Ｒ９、トランジスタＴｒ１へと流れず、トランジスタＱ３はオフ状態となる。その結果、直流電源＋Ｂから出力される直流電圧が、抵抗Ｒ６、トランジスタＱ３、抵抗Ｒ８を介して電界効果トランジスタＱ１の第２ゲートＧ２へ印加されることはない。また、ＳＤ端子６ｂの出力信号とＲＤＳ識別端子７ｂの出力信号はともにＬｏｗレベルになるので、ダイオードＤ１及びＤ２のカソードがＬｏｗレベルになる。そうすると、トランジスタＱ２のベース・グランド間はゼロバイアスとなり、トランジスタＱ２はオフ状態になる。これにより、電界効果トランジスタＱ１の第２ゲートＧ２への印加直流電圧が、直流電源＋Ｂから出力される直流電圧を抵抗Ｒ２と抵抗Ｒ５だけとで分圧したものになる。抵抗Ｒ５の抵抗値は抵抗Ｒ５、抵抗Ｒ１１の並列回路の合成抵抗値より大きいので、電界効果トランジスタＱ１の第２ゲートＧ２への印加直流電圧は標準印加直流電圧に比べて上昇する。電界効果トランジスタＱ１の第２ゲートＧ２の印加直流電圧が上昇すれば、電界効果トランジスタＱ１の相互コンダクタンス値が大きくなるので、電界効果トランジスタＱ１の増幅度が大きくなり、可変利得増幅器４のゲインが大きくなる。このように、一旦ＲＤＳ放送をキャッチアップすると、可変利得増幅器４のゲインが上昇するので、ＲＤＳ表示が出来たり出来なかったりを繰り返すＲＤＳ感度のスレッシュレベルでの不安定受信を防止することができる。
【００４３】
なお、ＳＤ端子６ｂの出力信号がＬｏｗレベルかつＲＤＳ識別端子７ｂの出力信号がＨｉｇｈレベルの場合と、ＳＤ端子６ｂの出力信号がＬｏｗレベルかつＲＤＳ識別端子７ｂの出力信号がＬｏｗレベルの場合とで、電界効果トランジスタＱ１の第２ゲートへの印加直流電圧が同じ電圧値になるように設定する。
【００４４】
上記動作説明を表にまとめたものを図４に示す。図４では、ＳＤ端子６ａの出力信号レベル及びＲＤＳ識別端子７ｂの出力信号レベルに対するトランジスタＱ２及びＱ３のオン／オフ状態並びに電界効果トランジスタＱ１の増幅状態を示している。
【００４５】
【発明の効果】
本発明によると、ラジオ放送に多重される情報を一旦キャッチアップしたときは当該情報の不安定な受信を防止することができかつリスナー（視聴者）に違和感を与えない放送波受信装置を実現することができる。
【図面の簡単な説明】
【図１】本発明に係るＲＤＳ放送受信機の構成を示す図である。
【図２】従来のＲＤＳ放送受信機の構成を示す図である。
【図３】ＳＤ端子の出力信号レベルとＲＤＳ識別端子の出力信号レベルを示す図である。
【図４】ＳＤ端子の出力信号レベル及びＲＤＳ識別端子の出力信号レベルに対するスイッチ回路内のトランジスタの状態及び可変増幅器内のトランジスタの状態を示す図である。
【符号の説明】
１  アンテナ
２  チューナ
４  可変利得増幅器
６  中間周波増幅・復調部
６ａ  信号検出回路
６ｂ  ＳＤ端子
７  ＲＤＳデコーダ
７ａ  ＲＤＳ識別回路
７ｂ  ＲＤＳ識別端子
８  マイクロコンピュータ
９  表示装置
１０  スイッチ回路
【図１】
2004229146.tif 000003
【図２】
2004229146.tif 000004
【図３】
2004229146.tif 000005
【図４】
2004229146.tif 000006